(57)【要約】【課題】試験杭の杭打ち施工を必要とせず、杭の支持力を実測値に基づいて把握して打ち止め判定を行うことができる杭の打ち止め管理方法を提供すること。【解決手段】打ち止め予定位置まで鋼管杭１を貫入させた後に鋼管杭先端部の土砂を取り除き、鋼管杭１内に貫入試験器５を挿入して鋼管杭先端部の地盤のＮ値測定と試料採取を行う。【選択図】図２
2005200962.tif 000002
【特許請求の範囲】
【請求項１】
先端に開口部を有する管状の杭を杭打ち施工する際の杭の打ち止め管理方法であって、打ち止め予定位置まで杭を貫入させた後に杭先端部の土砂を取り除き、杭内に貫入試験器を挿入して杭先端部における地盤のＮ値の測定を行うことを特徴とする杭の打ち止め管理方法。
【請求項２】
Ｎ値の測定時に、杭先端部における地盤の試料採取を行う請求項１に記載の杭の打ち止め管理方法。
【発明の詳細な説明】
【技術分野】
【０００１】
本発明は、鋼管杭等の先端に開口部を有する管状の杭を杭打ち施工する際の打ち止め管理方法に関する。
【背景技術】
【０００２】
鋼管杭等の杭打ち施工において、その打ち止め管理は適切な支持力を得るためにも重要であり、特許文献１には、試験杭について打ち止め時点における１打撃当たりの杭貫入量とその時の貫入抵抗との関係を求め、さらにこの時点から所定時間経過後の再打撃時点における１打撃当たりの杭貫入量とその時の貫入抵抗との関係を求めて地盤回復による支持力の増加状況を実測により把握しておき、鋼管杭の杭打ちに際して１打撃当たりの杭貫入量から、目標とする杭支持力に到達しているかどうかを推定する基礎用鋼管杭の打設方法が開示されている。
【０００３】
しかし、この特許文献１に開示されている方法では、試験杭による土質調査データに基づいて実際の杭の支持力を推定するようにしており、杭の支持力は、その杭打ち位置における支持地盤の実測値に基づくものではないため、実際の杭の支持力にばらつきや誤差が生じ、適正な支持力を得ることができないという問題がある。また、実際の杭の杭打ちのほかに試験杭の杭打ちが必要であり、余計な費用と時間が掛かってしまうという問題もある。さらに、１打撃当たりの杭貫入量を測定するためのドロップハンマー装置等が必要となるため狭小地での施工は困難であり、また、打撃時に騒音や振動が発生するという問題もある。
【０００４】
このほか、鋼管杭の打ち止め管理方法としては、非特許文献１に記載されているように、鋼管杭の回転駆動電流を電流計で読み取り、この電流値から杭の支持力を推定する方法も知られているが、この方法においても杭の支持力は実測値に基づくものではないため、実際の杭の支持力にばらつきや誤差が生じる。
【特許文献１】特開平６−３４６４４３号公報
【非特許文献１】成田信之著、「鋼管杭（その設計と施工）」改訂新版、鋼管杭協会、平成１０年９月３０日、ｐ．４４０
【発明の開示】
【発明が解決しようとする課題】
【０００５】
本発明が解決しようとする課題は、試験杭の杭打ち施工を必要とせず、杭の支持力を実測値に基づいて把握して打ち止め判定を行うことができる杭の打ち止め管理方法を提供することにある。
【課題を解決するための手段】
【０００６】
本発明は、先端に開口部を有する管状の杭を杭打ち施工する際の杭の打ち止め管理方法であって、打ち止め予定位置まで杭を貫入させた後に杭先端部の土砂を取り除き、杭内に貫入試験器を挿入して杭先端部における地盤のＮ値の測定を行うことを特徴とする。
【０００７】
また、Ｎ値の測定時に、杭先端部における地盤の試料採取を行うこともできる。
【発明の効果】
【０００８】
本発明の杭の打ち止め管理方法によれば、杭の打ち止め予定位置における地盤のＮ値測定を実際に行うので、その実測したＮ値に基づいて打ち止め予定位置における杭の支持力を正確に把握することができる。
【０００９】
また、Ｎ値測定時に地盤の試料採取を行うことにより、杭の支持力をより正確に把握することができ、また、打ち止め位置の地層等の性状を詳細に把握することができる。
【００１０】
さらに、杭打ちした管状の杭による穴を利用して打ち止め予定位置の地盤の性状を調査するので狭小地であっても調査を実施でき、また、別途にボーリング調査を行う必要もなく、短時間で調査を完了することができる。また、試験杭の杭打ち施工や予備調査のための装置等も必要ないので、調査に要する費用を削減できる。
【発明を実施するための最良の形態】
【００１１】
以下、本発明を鋼管杭の打ち止め管理に適用した実施例によって、本発明の実施の形態を説明する。
【００１２】
図１は、鋼管杭の杭打ち施工の手順を示す説明図である。鋼管杭の杭打ち施工では、まず、図１（ａ）に示すように鋼管杭１を吊り上げ、所定の杭打ち位置にセットする。次に、図１（ｂ）に示すように回転駆動装置２によって鋼管杭１に回転力と推進力を与えて地盤中に回転貫入させる。鋼管杭１の杭打ち深さが深い場合は、図１（ｃ）に示すように複数の鋼管杭１を継ぎ足して杭打ちする。そして、図１（ｄ）に示すように鋼管杭１を所定の深さ（打ち止め予定位置）まで回転貫入させる。
【００１３】
本発明の鋼管杭の打ち止め管理方法では、鋼管杭を打ち止め予定位置まで回転貫入後、この鋼管杭を利用して打ち止め予定位置における地盤のＮ値測定と試料採取を図２に示す手順により行う。
【００１４】
まず、図２（ａ）に示すように、打ち止め予定位置まで貫入した鋼管杭１の内部にコアチューブ３を挿入し、ロッド４を継ぎ足しながら鋼管杭１の内部を下降させる。そして、回転駆動装置２によってコアチューブ３を回転させたり、打ち込んだりしながら鋼管杭１の先端部に入り込んでいる土砂を取り除き、図２（ｂ）に示すように鋼管杭１先端の開口部１ａを開口させる。その後、コアチューブ３を引き上げてロッド４先端から取り外し、その代わりに貫入試験器を装着する。本実施例では、貫入試験器として、ＪＩＳ  Ａ−１２１９に規定されている標準貫入試験用サンプラー５を装着した。次に、図２（ｃ）に示すように標準貫入試験用サンプラー５を鋼管杭１の先端部、すなわち鋼管杭１の打ち止め予定位置まで下降させる。そして、図２（ｄ）に示すように、ロッド４の基端にノッキングヘッド６とガイドロッド７を取り付け、さらに、ガイドロッド７にモンケン８を昇降可能に装着し、モンケン８とウインチ９を滑車１０を介してワイヤー１１で接続する。
【００１５】
以上の準備が整ったら、ＪＩＳＡ−１２１９に規定されている標準貫入試験方法によって、鋼管杭１の先端部（打ち止め予定位置）における地盤のＮ値を測定し、その後、標準貫入試験用サンプラー５を回収してＮ値を測定した地盤の試料を採取する。そして、測定したＮ値に基づいて打ち止め予定位置における鋼管杭の支持力を算出し、その支持力が適正か否かを判断して打ち止め位置の適否を判断する。仮に、支持力が不足していたら、鋼管杭をさらに深く打ち込む等の対策を講じ、その新たな打ち止め位置において再度上述の標準貫入試験を行い、打ち止め位置の適否を判断する。
【００１６】
このように、本発明では、鋼管杭の打ち止め予定位置においてＮ値を実測し、その実測値に基づいて鋼管杭の打ち止め管理を行う。したがって、鋼管杭の支持力を直接的に把握することができ、その支持力を常に適正値とすることができる。また、Ｎ値の測定に加えて試料採取も行うので、その試料を分析することによって鋼管杭の支持力をより正確に把握することができ、また、打ち止め位置の地層等を把握することもできる。
【産業上の利用可能性】
【００１７】
本発明は、鋼管杭の打ち止め管理に限られず、例えば、円筒状のコンクリート杭等、先端部に開口部を有する、あらゆる杭の打ち止め管理に適用可能である。
【図面の簡単な説明】
【００１８】
【図１】鋼管杭の杭打ち施工の手順を示す説明図である。
【図２】本発明の打ち止め管理方法の手順を示す説明図である。
【符号の説明】
【００１９】
１  鋼管杭
１ａ  鋼管杭先端の開口部
２  回転駆動装置
３  コアチューブ
４  ロッド
５  標準貫入試験用サンプラー（貫入試験器）
６  ノッキングヘッド
７  ガイドロッド
８  モンケン
９  ウインチ
１０  滑車
１１  ワイヤー
【図１】
2005200962.tif 000003
【図２】
2005200962.tif 000004